【事件の表示】
　国際登録第８８２４７６号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＺＩＬＬＯＷ．ＣＯＭ」の文字を書してなり、第９類、第３５類、第３６類及び第４２類に属する国際登録において指定された商品及び役務を指定商品及び指定役務として、２００５年９月２８日に国際登録されたものである。そして、指定商品及び指定役務については、原審において、平成１９年６月６日付け手続補正書により、第９類「Ｃｏｍｐｕｔｅｒ　ｓｏｆｔｗａｒｅ，ｎａｍｅｌｙ　ｃｏｎｓｕｍｅｒ　ｄａｔａ　ｓｔｏｒａｇｅ　ｓｏｆｔｗａｒｅ　ｉｎ　ｔｈｅ　ａｒｅａ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ；ｃｏｍｐｕｔｅｒ　ｅ−ｃｏｍｍｅｒｃｅ　ｓｏｆｔｗａｒｅ　ｔｏ　ａｌｌｏｗ　ｕｓｅｒｓ　ｔｏ　ｐｅｒｆｏｒｍ　ｅｌｅｃｔｒｏｎｉｃ　ｂｕｓｉｎｅｓｓ　ｔｒａｎｓａｃｔｉｏｎｓ；ｃｏｍｐｕｔｅｒ　ｅ−ｃｏｍｍｅｒｃｅ　ｓｏｆｔｗａｒｅ　ｔｏ　ａｌｌｏｗ　ｕｓｅｒｓ　ｔｏ　ｐｅｒｆｏｒｍ　ｅｌｅｃｔｒｏｎｉｃ　ｂｕｓｉｎｅｓｓ　ｔｒａｎｓａｃｔｉｏｎｓ　ｃｏｎｄｕｃｔｅｄ　ｉｎ　ｔｈｅ　ｆｏｒｍ　ｏｆ　ａｎ　ａｕｃｔｉｏｎ　ｖｉａ　ａ　ｇｌｏｂａｌ　ｃｏｍｐｕｔｅｒ　ｎｅｔｗｏｒｋ；ｃｏｍｐｕｔｅｒ　ｄａｔａｂａｓｅ　ｓｏｆｔｗａｒｅ　ｆｅａｔｕｒｉｎｇ　ｉｎｆｏｒｍａｔｉｏｎ　ｉｎ　ｔｈｅ　ｆｉｅｌｄ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ．」、第３５類「Ａｄｖｅｒｔｉｓｉｎｇ　ａｎｄ　ｍａｒｋｅｔｉｎｇ　ｓｅｒｖｉｃｅｓ　ｉｎ　ｔｈｅ　ｆｉｅｌｄｓ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ；ｏｎ−ｌｉｎｅ　ａｄｖｅｒｔｉｓｉｎｇ　ａｎｄ　ｍａｒｋｅｔｉｎｇ　ｓｅｒｖｉｃｅｓ　ｉｎ　ｔｈｅ　ｆｉｅｌｄｓ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ；ｂｕｓｉｎｅｓｓ　ｍａｎａｇｅｍｅｎｔ　ｏｆ　ｒｅａｌ　ｅｓｔａｔｅ；ｒｅａｌ　ｅｓｔａｔｅ　ｍａｒｋｅｔｉｎｇ　ｏｎ−ｌｉｎｅ　ｓｅｒｖｉｃｅｓ；ｏｒｇａｎｉｚａｔｉｏｎ　ｏｆ　ｉｎｔｅｒｎｅｔ　ａｕｃｔｉｏｎｓ；ｏｒｇａｎｉｚａｔｉｏｎ　ｏｆ　ｉｎｔｅｒｎｅｔ　ｒｅａｌ　ｅｓｔａｔｅ　ａｕｃｔｉｏｎｓ；ｂｒｉｎｇｉｎｇ　ｔｏｇｅｔｈｅｒ　ｏｎ　ｔｈｅ　ｉｎｔｅｒｎｅｔ，ｆｏｒ　ｔｈｅ　ｂｅｎｅｆｉｔ　ｏｆ　ｏｔｈｅｒｓ，ｏｆ　ａ　ｖａｒｉｅｔｙ　ｏｆ　ｇｏｏｄｓ，ｅｎａｂｌｉｎｇ　ｃｕｓｔｏｍｅｒｓ　ｔｏ　ｃｏｎｖｅｎｉｅｎｔｌｙ　ｖｉｅｗ　ａｎｄ　ｐｕｒｃｈａｓｅ　ｔｈｏｓｅ　ｇｏｏｄｓ；ｐｒｏｖｉｄｉｎｇ　ｉｎｆｏｒｍａｔｉｏｎ　ｉｎ　ｔｈｅ　ｆｉｅｌｄ　ｏｆ　ｃｏｎｓｕｍｅｒ　ｇｏｏｄｓ　ｆｏｒ　ｈｏｍｅ　ｍａｉｎｔｅｎａｎｃｅ　ａｎｄ　ｄｅｃｏｒａｔｉｏｎ；ｐｒｏｍｏｔｉｏｎ　ｆｏｒ　ｇｏｏｄｓ　ａｎｄ　ｓｅｒｖｉｃｅｓ　ｏｆ　ｏｔｈｅｒｓ　ｂｙ　ｍｅａｎｓ　ｏｆ　ｌｉｎｋｉｎｇ　ｔｈｅ　ｗｅｂ　ｓｉｔｅ　ｔｏ　ｏｔｈｅｒ　ｗｅｂ　ｓｉｔｅｓ．」、第３６類「Ｒｅａｌ　ｅｓｔａｔｅ　ａｇｅｎｃｉｅｓ　ａｎｄ　ｂｒｏｋｅｒａｇｅ；ｒｅａｌ　ｅｓｔａｔｅ　ｃｏｎｓｕｌｔａｎｃｙ；ｒｅａｌ　ｅｓｔａｔｅ　ａｐｐｒａｉｓａｌ；ｆｉｎａｎｃｉａｌ　ｖａｌｕａｔｉｏｎ　ｏｆ　ｐｅｒｓｏｎａｌ　ｐｒｏｐｅｒｔｙ　ａｎｄ　ｒｅａｌ　ｅｓｔａｔｅ；ｐｒｏｖｉｄｉｎｇ　ｉｎｆｏｒｍａｔｉｏｎ　ｉｎ　ｔｈｅ　ｆｉｅｌｄ　ｏｆ　ｒｅａｌ　ｅｓｔａｔｅ．」及び第４２類「Ｒｅａｌ　ｅｓｔａｔｅ　ｒｅｓｅａｒｃｈ　ｓｅｒｖｉｃｅｓ；ｄｅｓｉｇｎ　ｏｆ　ｃｏｍｐｕｔｅｒ　ｓｏｆｔｗａｒｅ；ｐｒｏｖｉｄｉｎｇ　ｎｏｎ−ｄｏｗｎｌｏａｄａｂｌｅ　ｓｏｆｔｗａｒｅ　ｔｏｏｌｓ　ｆｏｒ　ｏｔｈｅｒｓ　ｔｏ　ｄｅｓｉｇｎ　ａｎｄ　ｃｒｅａｔｅ　ｗｅｂｓｉｔｅｓ；ｈｏｓｔｉｎｇ　ｗｅｂｓｉｔｅｓ　ｆｏｒ　ｏｔｈｅｒｓ；ｐｒｏｖｉｄｉｎｇ　ｎｏｎ−ｄｏｗｎｌｏａｄａｂｌｅ　ｃｏｍｐｕｔｅｒ　ｓｏｆｔｗａｒｅ，ｎａｍｅｌｙ，ｎｏｎ−ｄｏｗｎｌｏａｄａｂｌｅ　ｃｏｎｓｕｍｅｒ　ｄａｔａ　ｓｔｏｒａｇｅ　ｓｏｆｔｗａｒｅ　ｉｎ　ｔｈｅ　ａｒｅａ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ；ｎｏｎ−ｄｏｗｎｌｏａｄａｂｌｅ　ｃｏｍｐｕｔｅｒ　ｅ−ｃｏｍｍｅｒｃｅ　ｓｏｆｔｗａｒｅ　ｔｏ　ａｌｌｏｗ　ｕｓｅｒｓ　ｔｏ　ｐｅｒｆｏｒｍ　ｅｌｅｃｔｒｏｎｉｃ　ｂｕｓｉｎｅｓｓ　ｔｒａｎｓａｃｔｉｏｎｓ；ｎｏｎ−ｄｏｗｎｌｏａｄａｂｌｅ　ｃｏｍｐｕｔｅｒ　ｅ−ｃｏｍｍｅｒｃｅ　ｓｏｆｔｗａｒｅ　ｔｏ　ａｌｌｏｗ　ｕｓｅｒｓ　ｔｏ　ｐｅｒｆｏｒｍ　ｅｌｅｃｔｒｏｎｉｃ　ｂｕｓｉｎｅｓｓ　ｔｒａｎｓａｃｔｉｏｎｓ　ｃｏｎｄｕｃｔｅｄ　ｉｎ　ｔｈｅ　ｆｏｒｍ　ｏｆ　ａｎ　ａｕｃｔｉｏｎ　ｖｉａ　ａ　ｇｌｏｂａｌ　ｃｏｍｐｕｔｅｒ　ｎｅｔｗｏｒｋ；ｎｏｎ−ｄｏｗｎｌｏａｄａｂｌｅ　ｃｏｍｐｕｔｅｒ　ｄａｔａｂａｓｅ　ｓｏｆｔｗａｒｅ　ｆｅａｔｕｒｉｎｇ　ｉｎｆｏｒｍａｔｉｏｎ　ｉｎ　ｔｈｅ　ｆｉｅｌｄ　ｏｆ　ｒｅａｌ　ｅｓｔａｔｅ，ｃｏｎｓｕｍｅｒ　ｇｏｏｄｓ　ａｎｄ　ｃｏｎｓｕｍｅｒ　ｓｅｒｖｉｃｅｓ．」となったものである。
２　引用商標
　原査定において、本願の拒絶の理由に引用した登録第４４６２０２０号商標（以下「引用商標１」という。）は、「ＪＩＲＯ」の文字を標準文字で表してなり、第４２類「電子計算機・自動車その他その用途に応じて的確な操作をするためには高度の専門的な知識・技術又は経験を必要とする機械の性能・操作方法等に関する紹介及び説明，電子計算機用プログラムの設計・作成又は保守」を指定商品として、１９９９年２月２４日アメリカ合衆国においてした商標登録出願に基づき、パリ条約第４条による優先権を主張して、平成１１年６月１８日に登録出願、平成１３年３月２３日に設定登録されたものである。
　同じく、登録第４５０１６８８号商標（以下「引用商標２」という。）は、「ＪＩＲＯ」の文字を標準文字で表してなり、第９類「配電用又は制御用の機械器具，回転変流機，調相機，電気磁気測定器，電線及びケーブル，電気通信機械器具，電子応用機械器具及びその部品，磁心，抵抗線，電極」を指定商品として、１９９９年２月２４日アメリカ合衆国においてした商標登録出願に基づき、パリ条約第４条による優先権を主張して、平成１１年６月１８日に登録出願、平成１３年８月２４日に設定登録されたものである。
（以下、これらを一括して「引用商標」という。）
３　当審の判断
　本願商標は、前記１のとおり、「ＺＩＬＬＯＷ．ＣＯＭ」の文字を書してなるところ、その構成中の「．ＣＯＭ」の文字は、インターネットのドメイン名の末尾に付けられる組織形態別コードの一つであって、企業のサイトであることを示す「．ｃｏｍ」の読みとして一般に広く使用されている語であり、さらに、近時、我が国におけるインターネットの普及に伴い、インターネットを介して行う電子商取引が幅広い分野において行われている実情にあることからすれば、該「ドットコム」の文字は、自他商品・役務の識別標識としての機能を果たし得ないというのが相当である。
　そうすると、本願商標をその指定商品及び指定役務について使用するときは、これに接する取引者、需要者は、その構成中の「ＺＩＬＬＯＷ」の文字部分と「．ｃｏｍ」の文字部分とを分離し、両者のうち要部として認識される「ＺＩＬＬＯＷ」の字部分に着目して取引に当たる場合も決して少なくないというべきであるから、本願商標は、その構成文字全体に相応して「ジロウドットコム」ないしは「ジロウコム」の一連の称呼を生ずるほか、「ＺＩＬＬＯＷ」の文字部分に相応して、単に「ジロウ」の称呼をも生ずるものというのが相当である。
　そして、本願商標の構成中の「ＺＩＬＬＯＷ」の文字部分は、特定の観念を生じない造語からなるものと認められる。
　他方、引用商標は、「ＪＩＲＯ」の文字よりなるものであるから、その構成文字に相応して「ジロ」の称呼を生ずるものであり、直ちに特定の観念を生ずることのない造語からなるものと認められる。
　そこで、本願商標から生ずる「ジロウ」の称呼と引用商標から生ずる「ジロ」の称呼とを比較するに、両者は、語頭の「ジロ」の２音を共通にし、語尾における「ウ」の音の有無に差異を有しているところ、両者は共に３音と２音という極めて短い音数であって、語尾における「ウ」の音の有無が称呼全体に与える影響は大きく、称呼において、両者は明確に聴別できるものである。
　なお、仮に、称呼上類似する場合があるとしても、両者は、その外観において、前記したとおり著しく相違するものであって、観念についても、前記したとおりであり、これらの相違が称呼における類似性を凌駕しているものと判断されるから、結局、両商標を同一又は類似の商品又は役務に使用した場合においても、商品又は役務の出所について誤認混同を生じさせるおそれはないものというべきであり、両商標は互いに非類似の商標とみるのが相当である。
　したがって、本願商標が商標法第４条第１項第１１号に該当するとした原査定は、妥当でなく、取消しを免れない。
　その他、政令で定める期間内に本願について拒絶の理由を発見しない。
　よって、結論のとおり審決する。